【手続補正書】
【提出日】平成20年2月13日(2008.2.13)
【手続補正１】
【補正対象書類名】明細書
【補正対象項目名】特許請求の範囲
【補正方法】変更
【補正の内容】
【特許請求の範囲】  
【請求項１】  遊技機を識別する識別情報を保持する識別情報保持手段を備えた遊技機と、
その識別情報保持手段により保持される識別情報を読み取る識別情報読取手段と、その識別情報読取手段により読み取った識別情報に前記遊技機の現況を示す現況情報を付加する付加手段と、その付加手段により現況情報の付加された識別情報を送信する送信手段とを備えた識別情報入力装置と、
その識別情報入力装置と回線を介して接続され、その回線を介して前記送信手段から送信された情報を受信する受信手段と、その受信手段により受信した識別情報と現況情報とを対応つけて記憶する情報記憶手段と、その情報記憶手段に記憶される識別情報と現況情報とに基づいて、メーカから市場に販売された遊技機の管理を行う管理手段とを備えた遊技機管理装置とを備えていることを特徴とする遊技機管理システム。
【請求項２】  前記識別情報入力装置は、遊技機の製造メーカに設置されるメーカ側入力装置と、中古遊技機の販売を行う中古機販売会社に設置される中古機販売会社側入力装置と、廃棄される遊技機を回収する回収センタに設置される回収センタ側入力装置と、回収された遊技機の処理を行う処理会社に設置される処理会社側入力装置とを備えたものであることを特徴とする請求項１記載の遊技機管理システム。
【請求項３】  前記中古機販売会社側入力装置の付加手段は、中古遊技機の入荷を示す中古機入荷情報と、中古遊技機の販売先を示す中古機販売情報とを現況情報として前記識別情報に付加するものあることを特徴とする請求項２記載の遊技機管理システム。
【請求項４】  前記回収センタ側入力装置の付加手段は、廃棄される遊技機の入荷を示す廃棄遊技機入荷情報と、廃棄される遊技機を製造元のメーカへ出荷する廃棄遊技機出荷情報とを現況情報として前記識別情報に付加するものであることを特徴とする請求項２又は３に記載の遊技機管理システム。
【請求項５】  前記遊技機管理装置の管理手段は、前記回収センタ側入力装置から入力された廃棄遊技機入荷情報に基づいて、廃棄される遊技機の台数のカウントと入荷日からの経過日数の算出とを実行し、そのカウントまたは経過日数が所定の数値を超えていた場合に、廃棄される遊技機が回収センタにあるとしてメーカに回収の指示をする指示手段を備えていることを特徴とする請求項１から４のいずれかに記載の遊技機管理システム。
【手続補正２】
【補正対象書類名】明細書
【補正対象項目名】０００８
【補正方法】変更
【補正の内容】
【０００８】
一方、遊技機管理装置では、受信手段により識別情報と現況情報とが受信され、受信された識別情報と現況情報とは情報記憶手段において対応つけて記憶される。そして、管理手段により、その情報記憶手段に記憶された識別情報と現況情報とに基づいて、メーカから市場に販売された遊技機の管理が行われる。
請求項２記載の遊技機管理システムは、請求項１記載の遊技機管理システムにおいて、前記識別情報入力装置は、遊技機の製造メーカに設置されるメーカ側入力装置と、中古遊技機の販売を行う中古機販売会社に設置される中古機販売会社側入力装置と、廃棄される遊技機を回収する回収センタに設置される回収センタ側入力装置と、回収された遊技機の処理を行う処理会社に設置される処理会社側入力装置とを備えたものである。
請求項３記載の遊技機管理システムは、請求項２記載の遊技機管理システムにおいて、前記中古機販売会社側入力装置の付加手段は、中古遊技機の入荷を示す中古機入荷情報と、中古遊技機の販売先を示す中古機販売情報とを現況情報として前記識別情報に付加するものある。
請求項４記載の遊技機管理システムは、請求項２又は３に記載の遊技機管理システムにおいて、前記回収センタ側入力装置の付加手段は、廃棄される遊技機の入荷を示す廃棄遊技機入荷情報と、廃棄される遊技機を製造元のメーカへ出荷する廃棄遊技機出荷情報とを現況情報として前記識別情報に付加するものである。
請求項５記載の遊技機管理システムは、請求項１から４のいずれかに記載の遊技機管理システムにおいて、前記遊技機管理装置の管理手段は、前記回収センタ側入力装置から入力された廃棄遊技機入荷情報に基づいて、廃棄される遊技機の台数のカウントと入荷日からの経過日数の算出とを実行し、そのカウントまたは経過日数が所定の数値を超えていた場合に、廃棄される遊技機が回収センタにあるとしてメーカに回収の指示をする指示手段を備えている。
【手続補正３】
【補正対象書類名】明細書
【補正対象項目名】０１１９
【補正方法】変更
【補正の内容】
【０１１９】
【発明の効果】  請求項１記載の遊技機管理システムによれば、識別情報入力装置により遊技機の識別情報が読み取られ、読み取られた識別情報へは遊技機の現況を示す現況情報が付加された後に遊技機管理装置へ送信され、遊技機管理装置に記憶される。そして、メーカから市場に販売された遊技機は、遊技機管理装置に記憶された識別情報と現況情報とに基づいて管理される。よって、遊技機管理装置において、メーカから市場に販売された各遊技機を集中管理することができるという効果がある。具体的には、識別情報により遊技機を特定することができ、またその識別情報に付加される現況情報により遊技機の所在などの情報を知ることができる。これにより、メーカから市場に販売された各遊技機の現状や履歴を容易に管理することができるという効果がある。
請求項２記載の遊技機管理システムによれば、請求項１記載の遊技機管理システムの奏する効果に加えて、次の効果を奏する。遊技機の所在を知ることのできる拠点であるメーカ、中古機販売会社、回収センタに識別情報入力装置が設置されているので、かかる場所から遊技機の識別情報を読み取れば、市場に流通する遊技機の所在を知ることができる。つまり、所在管理の困難な市場に流通された遊技機の所在を容易に把握することができるのである。また、識別情報入力装置は処理会社にも設置されるので、製造された遊技機を、販売から廃棄処理に至るまで管理することができる。よって、市場に流通された遊技機の履歴を追従することができ、廃棄される遊技機の不法投棄を抑制することができるという効果がある。
請求項３記載の遊技機管理システムによれば、請求項２記載の遊技機管理システムの奏する効果に加えて、次の効果を奏する。一般に、中古機販売会社では、ホールなどでの使用済み遊技機の買い取りと、保有する中古遊技機の販売とが行われる。市場で流通する遊技機は、ホールとメーカとの間を行き来するだけでなく、中古機販売会社が介在する。このため、メーカが販売した遊技機の所在が不明瞭になりがちであった。しかし、中古機販売会社での中古遊技機の入荷時および販売時に、その情報を識別情報に付加して遊技機管理装置へと送信することにより、複雑な流通経路を通って流通される遊技機についても管理することができ、その所在を容易に明らかにすることができるという効果がある。
請求項４記載の遊技機管理システムによれば、請求項２又は３に記載の遊技機管理システムの奏する効果に加えて、次の効果を奏する。回収センタには市場で流通された後に廃棄される遊技機が入荷されるが、廃棄遊技機入荷情報と廃棄遊技機出荷情報とを識別情報に対応つけて管理することにより、回収センタにおいて廃棄される遊技機の保有状況を的確に把握することができるという効果がある。
請求項５記載の遊技機管理システムによれば、請求項１から４のいずれかに記載の遊技機管理システムの奏する効果に加えて、次の効果を奏する。廃棄される遊技機は量が多いためにその管理が非常に煩雑であるが、廃棄される遊技機の台数のカウントと入荷日からの経過日数の算出とにより、廃棄時期の到来、即ち回収時期の到来がメーカに指示されるので、その管理を省力化することができるという効果がある。
【手続補正４】
【補正対象書類名】明細書
【補正対象項目名】符号の説明
【補正方法】変更
【補正の内容】
【符号の説明】
１        ホストコンピュータ（遊技機管理装置、遊技機管理システムの一部）
２        ハードディスク（情報記憶手段）
３        電話回線（回線）
１０      回収センタのブロックの端末装置（識別情報入力装置、遊技機管理システムの一部）
２０      メーカ端末装置（識別情報入力装置、遊技機管理システムの一部）
２１      リーダ（識別情報読取装置）
３０      中古機販売会社端末装置（識別情報入力装置、遊技機管理システムの一部）
４０      リサイクル会社端末装置（識別情報入力装置、遊技機管理システムの一部）
Ｓ６４ 指示手段